(57)【特許請求の範囲】
【請求項１】
車両上部に設置された主砲に弾薬を装填する装填装置と、同装填装置に弾薬を供給するよう車両上部に設置された弾薬横方向移動装置と、車両下部の弾薬保管部に設置された弾薬ホルダとからなる弾薬供給装填装置において、弾薬保管部の弾薬ホルダ同士をホルダ連結プレートで連結してコンベア式の弾薬縦方向移動装置を構成して砲塔バスケット内に設け、更に同弾薬縦方向移動装置から砲塔バッスル内に設けられた上記弾薬横方向移動装置へ弾薬を向きを変えずに弾底方向に受け渡す弾薬授受装置を設けたことを特徴とする弾薬供給装填装置。
【発明の詳細な説明】
【０００１】
【発明の属する技術分野】
本発明は戦闘車両の弾薬供給装填装置に関するものである。
【０００２】
【従来の技術】
図４は従来の戦闘車両の平面図、図５は同車両の側面図、図６は同車両の正面図であり、部分的に車両内部が示してある。図において、１は主砲、２は同主砲を支持する砲塔、３は同砲塔を支持する車体、４は車両上部の砲塔２の後方に設けられている砲塔バッスル、５は車両下部に設けられている砲塔バスケット、６は弾薬、８はコンベア式の弾薬横方向移動装置、１８Ａ（図６）は同弾薬横方向移動装置の弾薬ホルダ、９は弾薬装填位置、１０は同位置にある弾薬を装填するための装填装置、１１は前記主砲の砲尾、３０は砲塔乗員である。上記弾薬横方向移動装置８は、平行に並べられた複数の円筒形の弾薬ホルダ１８Ａが連結されているもので、複数の弾薬６を収容する弾倉としての機能と、収容されている弾薬を順次上記弾薬装填位置９へ供給する機能とを有するものである。この車両内には、上記弾薬横方向移動装置８にすでに収容されている弾薬のほかに、図示はしていないが、車内の砲塔バスケット内の弾薬保管部に個々独立して設置されている弾薬ホルダにも弾薬が収容されている。この弾薬ホルダは乗員３０がアプローチしやすい場所に散在している。
【０００３】
弾薬の装填は、まず、砲塔バッスル４に設けられたコンベア式の弾薬横方向移動装置８内の弾薬６から始められる。この装置内の弾薬６は、その弾薬ホルダ１８Ａがチェーンによって駆動されることによって横送りされ、弾薬装填位置９に誘導されて、装填装置１０によって主砲１の砲尾１１に装填される。車両内の、上記弾薬横方向移動装置８以外の箇所に設けられている弾薬ホルダに積載されている他の弾薬は、乗員３０によって弾薬横方向移動装置８の空になった弾薬ホルダへ人力で供給される。
【０００４】
【発明が解決しようとする課題】
従来の弾薬供給装填装置は、車両内搭載弾薬の一部、即ち弾薬横方向移動装置８に予め収容されている弾薬のみを弾薬装填位置９へ自動的に供給するものであり、その他の車内の弾薬は乗員が人力にて上記弾薬横方向移動装置８の空になった弾薬ホルダ１８Ａに供給する必要があった。このため乗員のワークロードが大きくなるとともに、本来の任務を中断して弾薬供給作業を行う必要があり、戦闘車両としての戦力ダウンにつながっていた。
【０００５】
また弾薬横方向移動装置８以外の場所の弾薬ホルダに収納されている弾薬は、乗員がアプローチしやすい場所に積載する必要があるため、乗員と弾薬保管部との間の区画化が難しく安全上も問題があった。
【０００６】
本発明は上記従来技術の欠点を解消し、乗員位置から仕切られ、かつ車両内の弾薬を全て自動的に弾薬装填位置へ供給できるようにして、乗員を人力による弾薬供給作業から解放し、かつ乗員の安全を確保しようとするものである。
【０００７】
【課題を解決するための手段】
本発明は上記課題を解決したものであって、車両上部に設置された主砲に弾薬を装填する装填装置と、同装填装置に弾薬を供給するよう車両上部に設置された弾薬横方向移動装置と、車両下部の弾薬保管部に設置された弾薬ホルダとからなる弾薬供給装填装置において、弾薬保管部の弾薬ホルダ同士をホルダ連結プレートで連結してコンベア式の弾薬縦方向移動装置を構成して砲塔バスケット内に設け、更に同弾薬縦方向移動装置から砲塔バッスル内に設けられた上記弾薬横方向移動装置へ弾薬を向きを変えずに弾底方向に受け渡す弾薬授受装置を設けたことを特徴とする弾薬供給装填装置に関するものである。
【０００８】
【発明の実施の形態】
図１は本発明の実施の一形態に係る戦闘車両の平面図、図２は同車両の側面図、図３は同車両の正面図である。図において、１は主砲、２は同主砲を支持する砲塔、３は同砲塔を支持する車体、４は砲塔２の後方に設けられている砲塔バッスル、５は車両下部に設けられている砲塔バスケット、６は弾薬、８は弾薬横方向移動装置、９は弾薬装填位置、１０は同位置にある弾薬を装填するための装填装置、１１は前記主砲の砲尾、３０は砲塔乗員である。以上の部分は従来技術と同じである。
【０００９】
本実施形態の弾薬供給装填装置は上記弾薬横方向移動装置８に後述の弾薬縦方向移動装置７を付加し、弾薬縦方向移動装置７から弾薬横方向移動装置８へ後述の弾薬授受装置１３によって弾薬を自動的に供給するようにして、弾倉の散在と、人力による弾薬横方向移動装置８への弾薬供給を無くしたものである。
【００１０】
図において、７は砲塔バスケット５内に設けられたコンベア式の弾薬縦方向移動装置である。この装置は弾倉と供給装置とを兼ねた装置であって、従来、弾薬横方向移動装置８に装着されることなく、車両内の個別の弾薬ホルダに収容され、人力で弾薬横方向移動装置８の空になった弾薬ホルダへ供給されていた弾薬がすべて収容されている。１２はこの弾薬縦方向移動装置７の弾薬受渡し位置であり、この位置から弾薬横方向移動装置８へ弾薬が受渡しされる。１８Ｂは弾薬縦方向移動装置７において弾薬６を収納する円筒形の弾薬ホルダ、１９は同弾薬ホルダの隣り合うもの同士を連結する連結プレート、２０は弾薬縦方向移動装置７の前方フレーム、２１は同後方フレームであり、前記弾薬ホルダ１８Ｂはこの前後フレーム２０，２１に設けられたガイド溝に沿って移動することができる。２２は弾薬ホルダ連結プレート１９に設けられているラックに駆動力を伝達するピニオンである。弾薬ホルダ１８Ｂ、同ホルダ連結プレート１９、前方フレーム２０、後方フレーム２１、およびピニオン２２によってコンベア１６が形成され、弾薬ホルダ１８Ｂに収納された弾薬を所望の位置へ搬送することができる。
【００１１】
１３は砲塔バッスル４に設けられた弾薬授受装置である。この装置は前記弾薬縦方向移動装置７の弾薬受渡し位置１２に対応する位置に設けてある。２５は弾薬授受装置１３のツメ型の弾底グリップであり、対象となる弾薬の弾底部を掴む部分である。２４は前記弾底グリップ２５を弾薬縦方向移動装置７の弾薬受け渡し位置１２にある弾薬の弾底へ移動させるためのガイドレールである。グリップ２５はこのレール２４上を、図示していないチェーンを介した駆動力によって移動する。グリップ２５はばね力を利用したリンク機構によって弾薬の弾底を保持し、矢印２３の方向へ弾薬を引き出し、砲塔バッスル４側へ移動させる。２６は弾薬の円滑な移動を実現するための連接用ブリッジであり、弾薬縦方向移動装置７の弾薬受け渡し位置１２と、弾薬横方向移動装置８の前記受け渡し位置１２に対応する位置との間に設けられている。
【００１２】
砲塔バッスル側の弾薬横方向移動装置８の機構は、従来技術と同じく弾薬ホルダは円筒形で、隣り合うもの同志が連ってコンベアを形成し、弾薬６を装填位置９（図１）へ搬送し、その後方に設けられている装填装置１０によって主砲へ装填する。２８は同装填装置の駆動部である。
【００１３】
図１および図２において２９は砲塔隔壁、図３において、１４および１５はバッフルプレートである。これらによって乗員室は弾薬横方向移動装置８および弾薬縦方向移動装置７に対して仕切られ、区画化されている。図１における２７は弾薬横方向移動装置８へ外部から弾薬補給するための給弾用アクセスドア、図３における３１は弾薬縦方向移動装置７の給弾位置１７へ外部から弾薬補給するための給弾用アクセスドアである。
【００１４】
以上の構成を有する本実施形態の装置においては、弾薬縦方向移動装置７、弾薬授受装置１３を従来から設けられている弾薬横方向移動装置８に付加することにより全弾の自動供給が可能となり、戦闘中の乗員のワークロードを軽減するとともに本来の任務に集中させることが可能となる。また、弾薬の集中配置による乗員室と弾薬室の区画化が可能となり、乗員の安全性が向上する。さらに、本方式は弾薬を、常に砲に装填するのと同じ前方向きの状態で縦移動・授受・横移動・装填の各動作を行っており、弾薬の向きを変えないため車内で弾薬を取り扱うために必要となるスペースが減少し、容積効率のよい車室が実現できることになり、車両の小型化、軽量化が可能となる。
【００１５】
【発明の効果】
本発明の弾薬供給装填装置においては、弾薬保管部の弾薬ホルダ同士をホルダ連結プレートで連結してコンベア式の弾薬縦方向移動装置を構成して砲塔バスケット内に設け、更に同弾薬縦方向移動装置から砲塔バッスル内に設けられた弾薬横方向移動装置へ弾薬を向きを変えずに弾底方向に受け渡す弾薬授受装置を設けたので、車両内の全弾を乗員室から区切られた縦・横の弾薬移動装置内に収容して弾薬装填位置へ速やかに自動供給することが可能となり、また乗員を人力による弾薬供給作業から解放し乗員の安全を確保することができる。
【図面の簡単な説明】
【図１】本発明の実施の一形態に係る戦闘車両の平面図。
【図２】同車両の側面図。
【図３】同車両の正面図。
【図４】従来の戦闘車両の平面図。
【図５】同車両の側面図。
【図６】同車両の正面図。
【符号の説明】
１                主砲
２                砲塔
３                車体
４                砲塔バッスル
５                砲塔バスケット
６                弾薬
７                弾薬縦方向移動装置
８                弾薬横方向移動装置
９                弾薬装填位置
１０              装填装置
１１              砲尾
１２              弾薬受け渡し位置
１３              弾薬授受装置
１４，１５        バッフルプレート
１６              コンベア
１７              給弾位置（弾薬縦方向移動装置）
１８Ａ，１８Ｂ    弾薬ホルダ
１９              弾薬ホルダ連結プレート
２０              弾薬縦方向移動装置前方フレーム
２１              弾薬縦方向移動装置後方フレーム
２２              コンベア駆動ピニオン
２３              弾薬引き渡し方向矢印
２４              ガイドレール
２５              弾底グリップ
２６              連接用ブリッジ
２７              給弾用アクセスドア（弾薬横方向移動装置用）
２８              装填装置駆動部
２９              砲塔隔壁
３０              砲塔乗員
３１              給弾用アクセスドア（弾薬縦方向移動装置用）
【図１】
0003831454.tif 000002
【図２】
0003831454.tif 000003
【図３】
0003831454.tif 000004
【図４】
0003831454.tif 000005
【図５】
0003831454.tif 000006
【図６】
0003831454.tif 000007